(57)【特許請求の範囲】
【請求項１】
光源と、前記光源から出射される光ビームを主ビームと２つの副ビームとに分ける回折格子と、前記主ビームと前記副ビームの光ビームの一部を光軸方向に異なる位置に焦点を生成するホログラムと、前記ホログラムからの光ビームをその種類によって基材厚みと共にトラックピッチが異なる光ディスク上に収束させる対物レンズと、前記光ディスクからの反射光のうち前記主ビームの反射光を受光するためのフォーカス制御用の４分割光検出器および前記光ディスクからの反射光のうち前記副ビームの反射光を受光するための受光部を有する光検出器と、前記光検出器の前記主ビームを受光するためのフォーカス制御用の前記４分割光検出器の信号よりトラッキングエラー信号を得るとともに前記副ビームの反射光を受光するための受光部の信号よりトラッキング信号を得るトラッキング検出手段と、前記光ディスクの基材厚みおよびトラックピッチを判別することにより、前記基材厚みと共にトラックピッチが異なる光ディスクの種類を判別するディスク判別手段と、前記ディスク判別手段の信号により前記副ビームを受光するための受光部の信号より得たトラッキング信号または前記主ビームを受光するためのフォーカス制御用の４分割光検出器の信号より得たトラッキングエラー信号のうち、前記ホログラムにより生成された光ビームのスポットの開口数に対応するものをトラッキング制御に用いるトラッキング信号として採用することができるように前記トラッキングエラー信号を切り替える切替手段とを有する情報記録再生装置。
【請求項２】
ディスク判別手段が、再生専用の光ディスクと記録再生用の光ディスクを判別することを特徴とする、請求項１に記載の情報記録再生装置。
【請求項３】
ディスク判別手段が、連続的にトラッキングエラー信号が得られる光ディスクと間欠的にトラッキングエラー信号が得られる光ディスクとを判別することを特徴とする、請求項１記載の情報記録再生装置。
【発明の詳細な説明】
【０００１】
【産業上の利用分野】
本発明は、例えばＣＤ、ＣＤ−ＲＯＭ等のいわゆる再生専用の光ディスク、記録再生用の光ディスク、あるいは高密度化された光ディスク等のトラック形状あるいはトラックピッチの異なる光ディスクを記録再生する情報記録再生装置に関する。
【０００２】
【従来の技術】
近年、光ディスクの高密度化を図るために、そのトラックピッチが既存の光ディスクにおけるトラックピッチ（約１．６μｍ）より狭い光ディスクの必要性が高まっており、狭トラックピッチの光ディスクが実用化されている。また開口数（ＮＡ）の増加に伴い、基材厚の薄い光ディスクが実用化されている。
【０００３】
情報記録再生装置においては、光スポットがトラックを正確に追従するようにトラッキング制御が行われている。このトラッキング制御の方法として、例えば２つの副スポットを光ディスクに照射して、それらの反射光を各々別の検出器で受光し、その差動出力によりトラッキングエラー信号を得て、トラッキング制御を行う方式がある。以下この方式を「３ビーム方式」という。
【０００４】
この３ビーム方式の場合、トラッキング制御用の２つの副スポットは、トラックピッチに対応して所定の間隔に設定する必要があるが、このように所定の間隔に設定された２つの副スポットを得る方法の一例として、回折格子を用いる方法がある。
【０００５】
上記の一般的な情報記録再生装置について、図５および図６を参照しながら説明する。すなわち、図５に示したように、半導体レーザ光源１より出射した光ビームは、コリメータレンズ２により平行ビームに変換された後、回折格子３により０次光と±１次回折光に分けられる。この０次光は、記録再生用の主ビームとなり、＋１次回折光と−１次回折光とは、各々トラッキング制御用の副ビームとなる。
【０００６】
これらの光ビームは、偏光ビームスプリッタ１０１および１／４波長板１０２を通過し、対物レンズ５で絞られて、図６に示すように光ディスク１０６のピット列またはトラック溝ＧＲ上に、主スポット１２０、副スポット１２１及び１２２が形成される。
【０００７】
光ディスク１０６で反射したこれらの反射光は、対物レンズ５および１／４波長板１０２を再び通過して、偏光ビームスプリッタ１０１に入射する。反射光は１／４波長板１０２を２回通過しているため、偏光面が９０゜回転し、偏光ビームスプリッタ１０１で反射して、検出光学系６によって収束してトラッキングエラー検出系の光検出器７に入射する。
【０００８】
この場合、光ディスク１０６のピット列またはトラック溝ＧＲに対して、２つの副スポット１２１及び１２２は、トラック中心からお互い逆の方向に一定間隔ずれての照射され、これらの反射光の差動出力をトラッキングエラー検出系１０３で検出しトラッキングエラー信号とし、これによりアクチュエータ１２を駆動してトラッキング制御を行っている。
【０００９】
このような３ビーム方式の情報記録再生装置では、光ディスク１０６のトラックピッチを考慮して回折格子のピッチ、コリメータレンズ２、対物レンズ５などの光学系の設計が行われている。そしてトラックピッチが異なる場合には、回折格子３を回転させることにより、光ディスク１０６のトラックピッチに応じたスポット間隔に変更し、トラッキング制御を行っている。
【００１０】
次に、ほぼ同等のトラックピッチを有する例えばＣＤまたはＣＤ−ＲＯＭ等の再生専用の光ディスクと、例えば記録再生用の光ディスクを３ビーム方式を用いて記録再生する場合の説明をする。記録再生用の光ディスクとして相変化型の光ディスクを用いると、記録の前後で反射率が変化するため２つの副ビームの反射光に光量の差ができ、正常にトラッキング制御がかからなくなる。このため、光ディスクの製造段階において例えばプッシュプル方式のようなトラッキング手段で光ディスクに一定の信号を記録しておき、３ビーム方式でトラッキング制御する時には、記録前後の副スポットの反射率を同等にする等の方法が検討されている。
【００１１】
一方、例えば、ほぼ同等のトラックピッチを有する再生専用の光ディスクと記録再生用の光ディスクを、ピット列あるいはトラック溝の回折光の光量差によりトラッキングエラ−信号を得るいわゆるプッシュプル方式でトラッキング制御をかける場合は、ＣＤのピット深さが１／４波長近くになるとトラッキング信号が得られなくなるため、再生専用の光ディスクを限定する必要がある。
【００１２】
【発明が解決しようとする課題】
このように、従来の構成では、トラックピッチの異なる光ディスクを同一の情報記録再生装置で記録再生するためには、回折格子を回転させなければならなかった。そのためモータ、制御装置等部品点数が増加し、低コスト、小型化が困難となるという問題点があった。
【００１３】
また、ほぼトラックピッチが等しい再生専用光ディスクと記録再生用光ディスクとを記録再生する場合は、記録前後の反射率変化で正常にトラッキング制御ができない、あるいは光ディスクを限定しなければならない等の問題があった。
【００１４】
本発明は上記従来の問題点を解決するもので、異なる光ディスクを記録再生することを可能とした情報記録再生装置を提供することを目的とする。
【００１５】
【課題を解決するための手段】
この目的を達成するために本発明の情報記録再生装置は、光源と、前記光源から出射される光ビームを主ビームと２つの副ビームとに分ける回折格子と、前記主ビームと前記副ビームの光ビームの一部を光軸方向に異なる位置に焦点を生成するホログラムと、前記ホログラムからの光ビームをその種類によって基材厚みと共にトラックピッチが異なる光ディスク上に収束させる対物レンズと、前記光ディスクからの反射光のうち前記主ビームの反射光を受光するためのフォーカス制御用の４分割光検出器および前記光ディスクからの反射光のうち前記副ビームの反射光を受光するための受光部を有する光検出器と、前記光検出器の前記主ビームを受光するためのフォーカス制御用の前記４分割光検出器の信号よりトラッキングエラー信号を得るとともに前記副ビームの反射光を受光するための受光部の信号よりトラッキング信号を得るトラッキング検出手段と、前記光ディスクの基材厚みおよびトラックピッチを判別することにより、前記基材厚みと共にトラックピッチが異なる光ディスクの種類を判別するディスク判別手段と、前記ディスク判別手段の信号により前記副ビームを受光するための受光部の信号より得たトラッキング信号または前記主ビームを受光するためのフォーカス制御用の４分割光検出器の信号より得たトラッキングエラー信号のうち、前記ホログラムにより生成された光ビームのスポットの開口数に対応するものをトラッキング制御に用いるトラッキング信号として採用することができるように前記トラッキングエラー信号を切り替える切替手段とを有することを特徴とする。
【００１６】
【作用】
この構成によって、ディスク判別手段により光ディスクの種類を判別し、このディスク判別手段により、トラッキング制御に用いるトラッキングエラー信号を切替手段により切り替えることで、同一の光ヘッドで複数の種類の光ディスクに対して互換性を有する情報記録再生装置を実現することができる。
【００１７】
【実施例】
以下、図面を参照し具体的実施例を挙げ、本発明をより詳細に説明する。
【００１８】
（実施例１）
本発明の第１の実施例について、図１および図２を参照しながら説明する。本実施例は、トラックピッチが相異なる２種類の再生専用光ディスクを用い、同一装置で再生する形態である。
【００１９】
すなわち、図１に示したように、半導体レーザ光源１と、半導体レーザ光源１から出射された光ビームを平行光にするコリメータレンズ２と、コリメータレンズ２からの光ビームを主ビームと２つの副ビームに分ける回折格子３と、この主ビーム及び副ビームの３つの光ビームを、光ディスク１３または１４上に収束させる対物レンズ５と、光ディスク１３または１４の何れかからの反射光を光源１に向かう光路から分離して集光系に導くビームスプリッタ４と、ビームスプリッタ４で分離された反射光を収束する検出光学系６と、光ディスク１３または１４の何れかからの反射光を受光する光検出器７と、光検出器７の信号より複数のトラッキングエラー信号を得るトラッキング検出手段１６と、光ディスクの種類を判別するディスク判別手段８と、ディスク判別手段８のディスク判別信号９によりトラッキング制御に用いるトラッキングエラー信号を切り替える切替手段１０より構成されている。
【００２０】
なお、本実施例で用いた再生専用光ディスク１３及び１４は、トラックピッチが１．６μｍの再生専用光ディスク１３及びトラックピッチが０．８μｍの再生専用光ディスク１４であり、両光ディスクの基材厚みは共に１．２ｍｍである。
【００２１】
光ビームの光路は、図１に示したように、半導体レーザ光源１より出射した光ビームは、コリメータレンズ２により平行ビームに変換された後、回折格子３により主ビームと２つの副ビームに分けられる。
【００２２】
次に、この３つの光ビームは、ビームスプリッタ４を通過して対物レンズ５に入射し、トラックピッチが１．６μｍの再生専用光ディスク１３またはトラックピッチが０．８μｍの再生専用光ディスク１４上にフォーカシングされる。そして光ディスク１３または１４からの反射光は、対物レンズ５及びビームスプリッタ４、検出光学系６を通過して、光検出器７に入射する。
【００２３】
図１に示した光学系における光検出器７と、光検出器７で受光されるスポット２０〜２２との関係を図２に示す。光検出器７は、受光部２３〜２８からなる、主スポット２０は受光部２３〜２６で、副スポット２１は受光部２７で、副スポット２２は受光部２８で各々受光される。
【００２４】
次に、トラッキング制御に用いたエラー信号の発生について説明する。トラックピッチ１．６μｍの光ディスク１３を再生する場合には、回折格子３により生じた光検出器上の副スポット２１及び２２により生じる受光部２７と２８との信号の差動出力を、トラッキングエラー信号３２とする。この場合、ディスク判別手段８より切替手段１０を操作し、トラッキング制御用の信号としてトラッキングエラー信号３２を採用し、トラッキングエラー検出方式として３ビーム方式を用いた。
【００２５】
一方、トラックピッチ０．８μｍの光ディスク１４を再生する場合には、光検出器７上の主スポット２０の受光部２３並びに２５の和信号と、受光部２４並びに２６との和信号を位相比較器３３により位相比較した出力を、トラッキングエラー信号３４とする。この場合、ディスク判別手段８より切替手段１０を操作し、トラッキング制御用の信号としてトラッキングエラー信号３４を採用し、トラッキングエラー検出方式として位相差方式を用いた。
【００２６】
本実施例のようにすれば、フォーカス制御用の４分割光検出器を利用することによって、位相差トラッキングエラー信号を生成することができ、特に新たな光検出器を設けることなくトラッキング制御を行うことができる。さらに、例えば従来ＣＤの情報記録再生装置で使用していた光検出器をそのまま使用することが可能で、光ディスクの種類に応じた光ヘッドを具備させる必要が無いためローコストが可能である。
【００２７】
なお、本実施例では光ディスクを記録再生する場合のトラッキングエラー検出方式として、光ディスク１３には３ビーム方式を、光ディスク１４には位相差方式を採用したが、逆に光ディスク１３に位相差方式を採用し、トラックピッチの狭い光ディスク１４に３ビーム方式を採用する構成にしても、本発明の効果が得られること勿論である。
【００２８】
また、本実施例に用いるディスク判別手段としては、カートリッジに判別用の穴を開け、この穴を検出して判別する方法、カートリッジの形状により判別する方法、あるいはディスク内周部のディスク判別情報を読む方法等ディスクの種類を判別できる手法であれば何れでも適用できる。
【００２９】
（実施例２）
本発明の第２の実施例について図１および図３を参照しながら説明する。光学系の構成は、実施例１で説明した図１と同じであるが、実施例１と異なる点は、トラックピッチが相異なる再生専用の光ディスクと、記録再生可能な光ディスクとを用いる点である。
【００３０】
すなわち、本実施例で用いた光ディスクは、トラックピッチが１．６μｍの再生専用光ディスク１３と、トラックピッチが０．８μｍの記録再生可能光ディスク１５であり、両光ディスクの基材厚みは共に１．２ｍｍである。
【００３１】
図３に、本実施例の光検出器４５と、光検出器４５で受光されるビーム２０〜２２との関係を示す。光検出器４５は受光部４１〜４４からなる。主スポット２０は受光部４１、４２で、副スポット２１は受光部４３で、副スポット２２は受光部４４で各々受光される。
【００３２】
次に、トラッキング制御に用いたエラー信号の発生について説明する。トラックピッチが１．６μｍの再生専用光ディスク１３を再生する場合には、回折格子３により生じた光検出器４５上の副スポット２１及び２２により生じる受光部４３と４４との信号の差動出力を、トラッキングエラー信号３２とする。この場合、光ディスク判別手段８より切替手段１０を操作し、トラッキング制御用の信号としてトラッキングエラー信号３２を採用し、トラッキングエラー検出方式として３ビーム方式を用いた。
【００３３】
次に、トラックピッチが０．８μｍの記録再生可能光ディスク１５を記録再生する場合には、光検出器４５上の主スポット２０を用い、受光部４１の信号と受光部４２の信号との差動出力を、トラッキングエラー信号４６とする。この場合ディスク判別手段８より切替手段１０を操作し、トラッキング制御用の信号としてトラッキングエラー信号４６を採用し、トラッキングエラー検出方式としてプッシュプル方式を用いた。
【００３４】
なお、本実施例では光検出器の受光部４１と４２の差動信号をトラッキングエラー信号としたが、例えば図２に示す受光部２３並びに２４の和信号と受光部２５並びに２６の和信号との差動信号を、トラッキングエラー信号としてもよい。
【００３５】
また、本実施例では２つの光ディスク１３及び１５を再生または記録再生する場合のトラッキングエラー検出方式として、再生専用光ディスク１３には３ビーム方式を、記録再生可能光ディスク１５にはプッシュプル方式を採用したが、光ディスク１３にはプッシュプル方式を採用し、光ディスク１５には３ビーム方式を採用するという構成にしても、本発明の効果が得られること勿論である。
【００３６】
さらに、本実施例に適用できるディスク判別手段としては、カートリッジに判別用の穴を開け、この穴を検出して判別する方法、カートリッジの形状により判別する方法、光ディスクからの反射光量により再生専用の光ディスクと記録再生用の光ディスクを判別する方法、ディスク内周部のディスク判別情報を読む方法等ディスクの種類を判別できる手法であれば何れでも適用できる。
【００３７】
（実施例３）
本発明の第３の実施例について、図４及び図２を参照しながら説明する。本実施例では、トラックピッチ及び光ディスクの基材厚みが共に異なる２種類の再生専用光ディスクを用いた形態である。
【００３８】
図４に示したように、半導体レーザ光源１と、半導体レーザ光源１から出射された光ビームを平行光にするコリメータレンズ２と、コリメータレンズ２からの光ビームを主ビームと２つの副ビームに分ける回折格子３と、この３つの光ビームを光軸方向の空間的に異なる位置に焦点を生成するホログラム５１と、ホログラム５１からの光ビームを光ディスク１３または５３の何れか上に収束させる対物レンズ５と、光ディスク１３または５３の何れかからの反射光を、光源に向かう光路から分離して集光系に導くビームスプリッタ４と、ビームスプリッタ４で分離された反射光を集光する検出光学系６と、光ディスク１３または５３からの反射光を受光する光検出器７と、光検出器７の信号より複数のトラッキングエラー信号を得るトラッキング検出手段１６と、光ディスクの種類を判別するディスク判別手段８と、ディスク判別手段８のディスク判別信号９によりトラッキング制御に用いるトラッキングエラー信号を切り替える切替手段１０より構成されている。
【００３９】
但し、本実施例で用いた光ディスク１３と５３とは、トラックピッチが１．６μｍで基材厚みが１．２ｍｍの再生専用光ディスク１３と、トラックピッチが０．８μｍで基材厚みが０．６ｍｍの再生専用光ディスク５３である。
【００４０】
次に、光ビームの光路については、図４において、半導体レーザ光源１から出射した光ビームは、コリメータレンズ２により平行ビームに変換された後、回折格子３により主ビームと２つの副ビームに分けられる。次に、この主ビームと副ビームとの３つの光ビームは、ビームスプリッタ４、ホログラム５１を通過し、対物レンズ５に入射し、光ディスク１３または５３の何れか上にフォーカシングされる。そして、光ディスク１３または５３の何れかからの反射光は、対物レンズ５及びホログラム５１、ビームスプリッタ４、検出光学系６を通過して、光検出器７に入射する。
【００４１】
次に、トラッキング制御に用いたエラー信号の発生について説明する。ホログラムで生成されたスポットのうち、開口数（ＮＡ）の低いスポットＡ１からの反射光で、トラックピッチ１．６μｍ基材厚み１．２ｍｍの光ディスク１３を再生する場合には、回折格子３により生じた光検出器上の副スポット２１及び２２により生じる受光部２７と２８との信号の差動出力を、トラッキングエラー信号３２とする。この場合、ディスク判別手段８より切替手段１０を操作し、トラッキング制御用の信号としてトラッキングエラー信号３２を採用し、トラッキングエラー検出方式として３ビーム方式を用いた。
【００４２】
また、ホログラムで生成されたスポットのうち、ＮＡの大きいスポットＡ０からの反射光で、トラックピッチが０．８μｍ基材厚みが０．６ｍｍの光ディスク５３を再生する場合には、光検出器上の２０の受光部２３並びに２５の和信号と、受光部２４並びに２６の和信号とを位相比較器３３により位相比較した出力を、トラッキングエラー信号３４とする。この場合、ディスク判別手段８より切替手段１０を操作し、トラッキング制御用の信号としてトラッキングエラー信号３４を採用し、トラッキングエラー検出方式として位相差方式を用いた。
【００４３】
本実施例のようにすれば、フォーカス制御用の４分割光検出器を利用することによって、位相差トラッキングエラー信号を生成することができ、特に新たな光検出器を設けることなくトラッキング制御を行うことができる。
【００４４】
なお、本実施例では光ディスクを再生する場合のトラッキングエラー検出方式として、ＮＡの低いスポットで光ディスク１３を再生する場合に３ビーム方式を、ＮＡが大きいスポットで光ディスク５３を再生する場合には位相差方式を採用したが、逆に光ディスク１３に位相差方式を採用し、トラックピッチの狭い光ディスク５３に３ビーム方式を採用するという構成にしても、本発明の効果が得られること勿論である。
【００４５】
また、本実施例に用いるディスク判別手段としては、カートリッジに判別用の穴を開け、この穴を検出して判別する方法、カートリッジの形状により判別する方法、光ディスクからの反射光量により再生専用の光ディスクと記録再生用の光ディスクを判別する方法、ディスク内周部のディスク判別情報を読む方法等ディスクの種類を判別できる手法であれば何れでも適用できる。
【００４６】
（実施例４）
本発明の第４の実施例について、図７および図８を参照しながら説明する。本実施例では、トラックピッチ並びに光ディスクの基材厚みが共に同じの再生専用光ディスクと記録再生可能光ディスクとの２種類の光ディスクを用いる場合である。
【００４７】
すなわち、図７に示したように、半導体レーザ光源１と、半導体レーザ光源１から出射される光ビームを平行光にするコリメータレンズ２と、コリメータ２からの光ビームを再生専用光ディスク６１または記録再生用光ディスク６２の何れかの上に収束させる対物レンズ５と、光ディスク６１または６２の何れかからの反射光を光源に向かう光路から分離して集光系に導くビームスプリッタ４と、ビームスプリッタ４で分離された反射光を収束する検出光学系６と、光ディスク６１または６２の何れかからの反射光を受光する光検出器６３と、光検出器６３の信号より複数のトラッキングエラー信号を得るトラッキング検出手段１６と、光ディスクの種類を判別するディスク判別手段８と、ディスク判別手段８のディスク判別信号９によりトラッキング制御に用いるトラッキングエラー信号を切り替える切替手段１０より構成されている。
【００４８】
但し、本実施例で用いた再生専用光ディスク６１及び記録再生可能光ディスク６２は、共にトラックピッチが１．６μｍ光ディスクの基材厚みが１．２ｍｍである。
【００４９】
光ビームの光路は、図７に示したように、半導体レーザ光源１から出射した光ビームは、コリメータレンズ２により平行ビームに変換された後、ビームスプリッタ４を通過して対物レンズ５に入射し、光ディスク６１または６２の何れかの上にフォーカシングさせる。そして、光ディスク６１または６２の何れかからの反射光は対物レンズ５及びビームスプリッタ４、検出光学系６を通過して、光検出器６３に入射する。
【００５０】
なお、図７に示した光学系における光検出器６３を図８に示す。光検出器６３は受光部７１〜７４からなる。
【００５１】
次に、トラッキング制御に用いたエラー信号の発生について説明する。再生専用光ディスク６１を再生する場合には、受光部７１並びに７３の和信号と受光部７２並びに７４の和信号とを位相比較器８１により位相比較した出力を、トラッキングエラー信号８２とする。この場合、ディスク判別手段８より切替手段１０を操作し、トラッキング制御用の信号としてトラッキングエラー信号８２を採用し、トラッキングエラー検出方式として位相差方式を用いた。
【００５２】
また、記録再生可能光ディスク６２を記録再生する場合には、受光部７１並びに７２の和信号と受光部７３並びに７４の和信号との差動信号を、トラッキングエラー信号８０とする。この場合、ディスク判別手段８より切替手段１０を操作し、トラッキング制御用の信号としてトラッキングエラー信号８０を採用し、トラッキングエラー検出方式としてプッシュプル方式を用いた。
【００５３】
本実施例のようにすれば、フォーカス制御用の４分割光検出器を利用することによって、位相差トラッキングエラー信号およびプッシュプルトラッキングエラー信号を生成することができ、特に新たな光検出器を設けることなくトラッキング制御を行うことができる。さらに、例えば従来ＣＤの情報記録再生装置等で使用していた光検出器をそのまま使用することが可能で、光ディスクの種類に応じた光ヘッドが必要ではなく、１つの光ヘッドで再生または記録再生ができるためローコストが可能である。
【００５４】
なお、本実施例では光ディスクを記録再生する場合のトラッキングエラー検出方式として、記録再生用の光ディスク６２にはプッシュプル方式を採用したが、例えば３ビーム方式を採用する構成にしても、本発明の効果が得られること勿論である。
【００５５】
また、本実施例に用いるディスク判別手段としては、カートリッジに判別用の穴を開け、この穴を検出して判別する方法、カートリッジの形状により判別する方法、光ディスクからの反射光量により再生専用の光ディスクと記録再生用の光ディスクを判別する方法、ディスク内周部のディスク判別情報を読む方法等ディスクの種類を判別できる手法であれば何れでも適用できる。
【００５６】
（実施例５）
本発明の第５の実施例について、図９および図１０、１１を参照しながら説明する。光学系の構成は実施例４と同様である。但し、本実施例では、共にトラックピッチ１．６μｍ基材厚み１．２ｍｍの記録再生可能光ディスクで、ウオブルピットの有無のみが異なる２種類の光ディスクである。
【００５７】
図９に示したように、半導体レーザ光源１と、半導体レーザ光源１から出射される光ビームを平行光にするコリメータレンズ２と、コリメータ２からの光ビームを、ウオブルピットを設けられていない記録再生可能光ディスク６２またはウオブルピットを有する記録再生可能光ディスク９０の何れかの上に収束させる対物レンズ５と、光ディスク６２または９０の何れかからの反射光を、光源に向かう光路から分離して集光系に導くビームスプリッタ４と、ビームスプリッタ４で分離された反射光を収束する検出光学系６と、光ディスク６２または９０の何れかからの反射光を受光する光検出器４５と、光検出器４５の信号より複数のトラッキングエラー信号を得るトラッキング検出手段１６と、光ディスクの種類を判別するディスク判別手段８と、ディスク判別手段８のディスク判別信号９によりトラッキング制御に用いるトラッキングエラー信号を切り替える切替手段１０より構成されている。
【００５８】
光ビームの光路は、図９に示したように、半導体レーザ光源１から出射した光ビームは、コリメータレンズ２により平行光ビームに変換された後、ビームスプリッタ４を通過して対物レンズ５に入射し、光ディスク６２または９０の何れかの上にフォーカシングさせる。そして、光ディスク６２または９０の何れかからの反射光は対物レンズ５及びビームスプリッタ４、検出光学系６を通過して、光検出器４５に入射する。
【００５９】
次に、トラッキング制御に用いるエラー信号の発生について説明する。ウオブルピットが無い記録再生可能光ディスク６２を記録再生する場合には、受光部４１と４２との信号の差動出力を、トラッキングエラー信号９３とする。この場合、ディスク判別手段８より切替手段１０を操作し、トラッキング制御用の信号としてトラッキングエラー信号９３を採用し、トラッキングエラー検出方式としてプッシュプル方式を用いた。
【００６０】
また、ウオブルピットを有する記録再生用光ディスク９０を記録再生する場合には、図１１のように、２つのウオブルピット２０１及び２０２からの反射光の大きさを比較し、トラック中心からのずれを検出してトラッキングエラー信号９４とする。この場合、ディスク判別手段８より切替手段１０を操作し、トラッキング制御用の信号としてトラッキングエラー信号９４を採用し、トラッキングエラー検出方式としてサンプルサーボ方式を用いた。
【００６１】
本実施例のようにすれば、フォーカス制御用の４分割光検出器を利用することによって、プッシュプルトラッキングエラー信号、サンプルサーボ用エラー信号を生成することができ、特に新たな光検出器を設けることなくトラッキング制御を行うことができる。さらに、例えば従来ＣＤの情報記録再生装置等で使用していた光検出器をそのまま使用することが可能で、光ディスクの種類に応じた光ヘッドが必要ではなく、１つの光ヘッドで再生または記録再生ができるためローコストが可能である。
【００６２】
なお、本実施例では光ディスクを記録再生する場合のトラッキングエラー検出方式として、記録再生用の光ディスク９０にはプッシュプル方式を採用したが、例えば３ビーム方式を採用するという構成にしても、本発明の効果が得られること勿論である。
【００６３】
また、本実施例に用いるディスク判別手段としては、カートリッジに判別用の穴を開け、この穴を検出して判別する方法、カートリッジの形状により判別する方法、ディスク内周部のディスク判別情報を読む方法等ディスクの種類を判別できる手法であれば何れでも適用できる。
【００６４】
なお、上述した実施例では、トラックピッチとして１．６μｍと０．８μｍとを挙げ、光ディスクの基材厚みとして１．２ｍｍと０．６ｍｍとを挙げたが、本発明はこれら数値により限定されるものではなく、要は、トラックピッチ、トラック形状、基材厚みまたは光ディスクの反射率等の何れかの外見上の相違が少なくとも１種類存在すれば、当該相違に応じてトラッキングエラー信号を切り換えることで達成でき、全く同じ効果が得られること勿論である。
【００６５】
【発明の効果】
以上のように本発明に係る情報記録再生装置によれば、光源と、前記光源から出射される光ビームを主ビームと２つの副ビームとに分ける回折格子と、前記主ビームと前記副ビームの光ビームの一部を光軸方向に異なる位置に焦点を生成するホログラムと、前記ホログラムからの光ビームをその種類によって基材厚みと共にトラックピッチが異なる光ディスク上に収束させる対物レンズと、前記光ディスクからの反射光のうち前記主ビームの反射光を受光するためのフォーカス制御用の４分割光検出器および前記光ディスクからの反射光のうち前記副ビームの反射光を受光するための受光部を有する光検出器と、前記光検出器の前記主ビームを受光するためのフォーカス制御用の前記４分割光検出器の信号よりトラッキングエラー信号を得るとともに前記副ビームの反射光を受光するための受光部の信号よりトラッキング信号を得るトラッキング検出手段と、前記光ディスクの基材厚みおよびトラックピッチを判別することにより、基材厚みと共にトラックピッチが異なる光ディスクの種類を判別するディスク判別手段と、前記ディスク判別手段の信号により前記副ビームを受光するための受光部の信号より得たトラッキング信号または前記主ビームを受光するためのフォーカス制御用の４分割光検出器の信号より得たトラッキングエラー信号のうち、前記ホログラムにより生成された光ビームのスポットの開口数に対応するものをトラッキング制御に用いるトラッキング信号として採用することができるように前記トラッキングエラー信号を切り替える切替手段とを有するので、フォーカス制御用の４分割光検出器を利用することによって、位相差法によるトラッキングエラー信号を生成することができ、特に新たな光検出器を設けることなくトラッキング制御を行うことができるばかりか、同一の光ヘッドで基材厚およびトラックピッチの異なる複数の光ディスクに対応して互換性を有することができる優れた情報記録再生装置を実現できるものである。また、機械的な機構を付加することなく、１つの光ヘッドで異種の光ディスクを再生または記録再生することが可能となるため、小型、ローコストの情報記録再生装置を実現できる。
【図面の簡単な説明】
【図１】本発明による情報記録再生装置の一例の構成図
【図２】本発明の実施例１のトラッキングエラー検出方式の構成図
【図３】本発明の実施例２のトラッキングエラー検出方式の構成図
【図４】本発明の実施例３の情報記録再生装置の一例の構成図
【図５】従来の情報記録再生装置の一例の構成図
【図６】従来の情報記録再生装置の光スポット配置図
【図７】本発明の実施例４の情報記録再生装置の一例の構成図
【図８】本発明の実施例４のトラッキングエラー検出方式の構成図
【図９】本発明の実施例５の情報記録再生装置の一例の構成図
【図１０】本発明の実施例５のトラッキングエラー検出方式の構成図
【図１１】本発明の実施例５のウオブルピットの構成とその検出信号との構成図
【符号の説明】
１  半導体レーザ光源
３  回折格子
５    対物レンズ
７    光検出器
８    ディスク判別手段
１０    切替手段
１１  トラッキングエラー信号
１３、１４、１５、５３、６１、６２、９０  光ディスク
１６    トラッキング検出手段
【図１】
0003549260.tif 000002
【図２】
0003549260.tif 000003
【図３】
0003549260.tif 000004
【図４】
0003549260.tif 000005
【図５】
0003549260.tif 000006
【図６】
0003549260.tif 000007
【図７】
0003549260.tif 000008
【図８】
0003549260.tif 000009
【図９】
0003549260.tif 000010
【図１０】
0003549260.tif 000011
【図１１】
0003549260.tif 000012